(57)【要約】      （修正有）【課題】透析原液容器から洗浄ポート部への原液通路の繋ぎ替えミスによる洗浄不良を防止し、またこのような接続不良を迅速に発見することの可能な透析装置およびその洗浄方法を提供する。【解決手段】透析装置１の液回路２は、計量チャンバ１１に浄水を供給する給水通路１２と、該浄水通路に合流するとともに透析原液容器２０Ａ，２０Ｂに接続された原液通路１３Ａ，１３Ｂと、浄水通路から分岐した分岐通路１４と、該分岐通路に洗浄液を流通させる洗浄液通路１５とから構成され、また液回路には透析液検出器としての導電度測定器２９と気体検出器としての脱気槽３４とが設けられている。透析装置の洗浄時には、前洗浄工程により液回路を浄水に置換し、その際制御装置４の判定手段４ａは、導電度測定器により液回路を流通する液体が透析液ではないことを認識したら、洗浄液を用いた本洗浄工程へと移行する。【選択図】図１
2008006220.tif 000002
【特許請求の範囲】
【請求項１】
透析器に接続される液回路の給液側に、該液回路に合流するとともに透析原液容器に接続される原液通路を設け、液回路の給水口から浄水を供給するとともに原液通路から透析原液を供給して、液回路中で透析液を作成して透析器に供給する透析装置であって、
上記原液通路を接続させて、原液通路に洗浄液を供給する洗浄液供給部を設け、
透析時には、原液通路と透析原液容器とを接続して原液通路から液回路に透析原液を供給し、
透析終了後の液回路の洗浄時には、原液通路を透析原液容器から洗浄液供給部へと繋ぎ替えて、原液通路に洗浄液を供給するようにした透析装置において、
上記液回路における原液通路との合流位置よりも下流側で透析液の流通を検出する透析液検出器と、該透析液検出器の検出信号を入力する判定手段とを設け、
判定手段は、洗浄時に透析液検出器によって透析液の流通が検出されたら、原液通路が透析原液容器に接続されているものと判定することを特徴とする透析装置。
【請求項２】
透析器に接続される液回路の給液側に、該液回路に合流するとともに透析原液容器に接続される原液通路を設け、液回路の給水口から浄水を供給するとともに原液通路から透析原液を供給して、液回路中で透析液を作成して透析器に供給する透析装置であって、
上記原液通路を接続させて、原液通路に洗浄液を供給する洗浄液供給部を設け、
透析時には、原液通路と透析原液容器とを接続して原液通路から液回路に透析原液を供給し、
透析終了後の液回路の洗浄時には、原液通路を透析原液容器から洗浄液供給部へと繋ぎ替えて、原液通路に洗浄液を供給するようにした透析装置において、
上記液回路における原液通路との合流位置よりも下流側で液回路中の気体を検出する気体検出器と、該気体検出器の検出信号を入力する判定手段とを設け、
判定手段は、洗浄時に気体検出器が液回路中に所定量の気体を検出したら、原液通路と洗浄液供給部の接続が不完全であると判定することを特徴とする透析装置。
【請求項３】
上記洗浄液供給部には、上記液回路における上記原液通路の合流位置よりも上流側で液回路から分岐する分岐通路と、該分岐通路に合流するとともに洗浄液容器に接続された洗浄液通路とが接続され、
透析終了後の洗浄時には、上記原液通路と分岐通路とを接続させることを特徴とする請求項１または請求項２のいずれかに記載の透析装置。
【請求項４】
透析器に接続される液回路の給液側に、該液回路に合流するとともに透析原液容器に接続される原液通路を設け、液回路の給水口から浄水を供給するとともに原液通路から透析原液を供給して、液回路中で透析液を作成して透析器に供給する透析装置であって、
上記原液通路を接続させて、原液通路に洗浄液を供給する洗浄液供給部を設け、
透析時には、原液通路と透析原液容器とを接続して原液通路から液回路に透析原液を供給し、
透析終了後の液回路の洗浄時には、原液通路を透析原液容器から洗浄液供給部へと繋ぎ替えて、原液通路に洗浄液を供給するようにした透析装置の洗浄方法において、
液回路に洗浄液を流通させる本洗浄工程の前に、
液回路に浄水を流通させて液回路中の透析液を浄水に置換する前洗浄工程を備え、該前洗浄工程中に原液通路と洗浄液供給部との接続状態を確認することを特徴とする透析装置の洗浄方法。
【請求項５】
前洗浄工程中に、液回路における透析液の流通を検出することにより、上記原液通路と透析原液容器とが接続されていると判定することを特徴とする請求項４に記載の透析装置の洗浄方法。
【請求項６】
前洗浄工程中に、液回路を流通する浄水に所定量の気体を検出することにより、上記原液通路と洗浄液供給部との接続が不完全であると判定することを特徴とする請求項４に記載の透析装置の洗浄方法。
【発明の詳細な説明】
【技術分野】
【０００１】
本発明は透析装置およびその洗浄方法に関し、詳しくは透析器に接続される液回路の給液側に、該液回路に合流するとともに透析原液容器に接続される原液通路を備えて、液回路中で透析液を作成する透析装置およびその洗浄方法に関する。
【背景技術】
【０００２】
従来、透析装置内で透析液を作成する個人用透析装置では、透析器に接続される液回路の給液側に、該液回路に合流するとともに透析原液容器に接続される原液通路を設け、液回路の給水口から浄水を供給するとともに原液通路から透析原液を供給して、液回路中で透析液を作成して透析器に供給するようにしている。
このような透析装置では、透析治療が終了するたびに液回路の洗浄を行う必要があり、原液通路に洗浄液を供給する洗浄ポート部（洗浄液供給部）を設けて、透析終了後の洗浄時には原液通路を透析原液容器から洗浄ポート部へと繋ぎ替えて、原液通路を介して液回路に洗浄液を供給させることで、原液通路にも洗浄液が流通されるようにしている。（特許文献１）
【特許文献１】特開２００１―９０２９号公報
【発明の開示】
【発明が解決しようとする課題】
【０００３】
しかしながら、透析原液容器から洗浄ポート部への原液通路の繋ぎ替えは人手によって行うため、繋ぎ替え忘れて原液通路を透析原液容器に繋いだままであったり、繋ぎ替えたものの接続が不完全な状態で洗浄工程に移行した場合には、原液通路に洗浄液が供給されることなく洗浄動作を終えてしまう危険性があった。
このような問題に鑑み、本発明は透析原液容器から洗浄ポート部への原液通路の繋ぎ替えミスによる洗浄不良を防止し、またこのような接続不良を迅速に発見することの可能な透析装置およびその洗浄方法を提供するものである。
【課題を解決するための手段】
【０００４】
すなわち、請求項１に記載の透析装置は、透析器に接続される液回路の給液側に、該液回路に合流するとともに透析原液容器に接続される原液通路を設け、液回路の給水口から浄水を供給するとともに原液通路から透析原液を供給して、液回路中で透析液を作成して透析器に供給する透析装置であって、
上記原液通路を接続させて、原液通路に洗浄液を供給する洗浄液供給部を設け、
透析時には、原液通路と透析原液容器とを接続して原液通路から液回路に透析原液を供給し、
透析終了後の液回路の洗浄時には、原液通路を透析原液容器から洗浄液供給部へと繋ぎ替えて、原液通路に洗浄液を供給するようにした透析装置において、
上記液回路における原液通路との合流位置よりも下流側で透析液の流通を検出する透析液検出器と、該透析液検出器の検出信号を入力する判定手段とを設け、
判定手段は、洗浄時に透析液検出器によって透析液の流通が検出されたら、原液通路が透析原液容器に接続されているものと判定することを特徴としている。
【０００５】
また請求項２に記載の透析装置は、透析器に接続される液回路の給液側に、該液回路に合流するとともに透析原液容器に接続される原液通路を設け、液回路の給水口から浄水を供給するとともに原液通路から透析原液を供給して、液回路中で透析液を作成して透析器に供給する透析装置であって、
上記原液通路を接続させて、原液通路に洗浄液を供給する洗浄液供給部を設け、
透析時には、原液通路と透析原液容器とを接続して原液通路から液回路に透析原液を供給し、
透析終了後の液回路の洗浄時には、原液通路を透析原液容器から洗浄液供給部へと繋ぎ替えて、原液通路に洗浄液を供給するようにした透析装置において、
上記液回路における原液通路との合流位置よりも下流側で液回路中の気体を検出する気体検出器と、該気体検出器の検出信号を入力する判定手段とを設け、
判定手段は、洗浄時に気体検出器が液回路中に所定量の気体を検出したら、原液通路と洗浄液供給部の接続が不完全であると判定することを特徴としている。
【０００６】
さらに請求項４に記載の透析装置の洗浄方法は、透析器に接続される液回路の給液側に、該液回路に合流するとともに透析原液容器に接続される原液通路を設け、液回路の給水口から浄水を供給するとともに原液通路から透析原液を供給して、液回路中で透析液を作成して透析器に供給する透析装置であって、
原液通路に洗浄液を供給する洗浄液供給部を設け、
透析時には、原液通路と透析原液容器とを接続して原液通路から液回路に透析原液を供給し、
透析終了後の洗浄時には、原液通路を透析原液容器から洗浄液供給部へと繋ぎ替えて、原液通路から液回路に洗浄液を供給させるようにした透析装置の洗浄方法において、
液回路に洗浄液を供給する本洗浄工程の前に、
液回路に浄水を流通させて液回路中の透析液を浄水に置換する前洗浄工程を備え、該前洗浄工程中に原液通路と洗浄液供給部との接続状態を確認することを特徴としている。
【発明の効果】
【０００７】
上記請求項１の発明によれば、洗浄時に上記透析液検出器により液回路内に透析液が流通していることを検出することで、上記原液通路が洗浄液供給部に接続されず透析原液容器に接続されていることを発見することができ、繋ぎ替えミスによる洗浄不良を防止することができる。
【０００８】
また上記請求項２の発明によれば、洗浄時に上記気体検出器により液回路中に所定量の気体を検出することで、上記原液通路と洗浄液供給部との接続が不完全であることを発見することができ、繋ぎ替えミスによる洗浄不良を防止することができる。
【０００９】
さらに上記請求項４の発明によれば、液回路に洗浄液を供給する前の前洗浄工程中に、原液通路と洗浄液供給部との接続状態を確認するので、繋ぎ替えミスを迅速に発見することができ、発見された場合には確実に接続しなおすことで、即座に洗浄を再開することができる。
【発明を実施するための最良の形態】
【００１０】
以下図示実施例について説明すると、図１、図２は本実施例に係る透析装置１を示し、図１は本体内部に設けられた液回路２を示すとともに、図２は透析装置１の外観を示している。
上記液回路２は透析器３が接続されて、透析器３に透析液を供給および排出させるためのものであり、管状のチューブからなる液通路より構成されている。該液通路中には様々な電磁弁やポンプが設けられており、これらは透析装置１が備える制御装置４によって制御されるようになっている。
上記透析器３は透析装置1の外部で血液回路５の回路中に設けられており、該透析器３の内部には多数の中空糸が束ねられて設けられ、この中空糸の内側を血液が図示右方に向けて流れ、外側を透析液が血液の流れとは逆方向となる図示左方に向けて流れるようになっている。
なお、図１は液回路２の洗浄時における状態を示しており、液回路２から上記透析器３を取り外し、給液側の末端と排液側の先端とを連結した状態を示している。また図２（ａ）は透析装置１の透析時における状態を示しており（透析器３および血液回路５は図示せず）、図２（ｂ）は液回路２の洗浄時における状態を示している。
【００１１】
上記液回路２は、透析液を作成するとともに透析器３に新鮮透析液を供給する給液側回路２Ａと、該給液側回路２Ａよりも下流側に位置し、透析器３から処理済透析液を排出させる排液側回路２Ｂと、内部がベロフラムにより給液室と排液室とに分割されて、透析器３に対する新鮮透析液および処理済透析液の給排量を計量する２つの計量チャンバ１１とを備えている。
上記給液側回路２Ａは、各計量チャンバ１１の給液室に浄水を供給する給水通路１２と、該給水通路１２に合流して透析原液を供給する原液通路１３Ａ，１３Ｂと、原液通路１３Ａ，１３Ｂの合流位置よりも上流側で給水通路１２から分岐して浄水を流通させる分岐通路１４と、該分岐通路１４に合流して洗浄液を供給する洗浄液通路１５と、上記計量チャンバ１１で混合された透析液を透析器３に供給するための給液通路１６とを備えている。
【００１２】
上記給水通路１２の給水口１２ａは図示しない浄水供給手段に接続されており、給水口１２ａの下流側には給水電磁弁１２ｂが設けられ、この給水電磁弁１２ｂを開放することで給水通路１２に浄水が供給され、給水通路１２に供給された浄水は、さらに下流側に設けた給液ポンプ１７によって下流へ送液される。
また給水通路１２は途中で分岐させて上記各計量チャンバ１１に接続されており、分岐させた部分には各計量チャンバ１１毎にそれぞれ第１、第２電磁弁１８、１９が設けられ、これらを交互に開閉させることで各計量チャンバ１１に浄水が供給されるようになっている。
【００１３】
上記原液通路１３Ａ，１３Ｂは、上記給水通路１２に合流する通路であり、それらの一端は、上記給水通路１２が各計量チャンバ１１に対して分岐する位置よりも上流側に接続され、他端側は、図２に示すように、透析装置１の本体外部に取り出されて、原液通路１３Ａは透析原液としてのＡ原液を収容した透析原液容器２０Ａに、原液通路１３ＢはＢ原液を収容する透析原液容器２０Ｂにそれぞれ接続できるようになっている。
また各原液通路１３Ａ，１３Ｂには、それぞれ給水通路１２との合流位置の手前に透析原液を送液するための原液ポンプ２１Ａ，２１Ｂが設けられている。
さらに、原液通路１３Ａ，１３Ｂの本体外部に取り出された先端には接続手段としてコネクタ２２Ａ，２２Ｂが設けられ、後述する分岐通路１４に設けられたカプラ２３Ａ，２３Ｂと接続できるようになっている。
透析装置１の透析動作時には、図１において破線で示すように、原液通路１３Ａ，１３Ｂと透析原液容器２０Ａ，２０Ｂとをそれぞれ接続させ、原液ポンプ２１Ａ，２１Ｂを作動させることで、上記給水通路１２にＡ原液とＢ原液とを各々定量ずつ供給するようになっている。
【００１４】
上記分岐通路１４は上記給水通路１２における上記給液ポンプ１７よりも上流側から分岐させた通路であり、この分岐通路１４には第３電磁弁２４が設けられるとともに、先端側を二又に分岐させて、その端部にはカプラ２３Ａ，２３Ｂが設けられている。
該カプラ２３Ａ，２３Ｂは、図２に示すように透析装置１の内部より本体表面に突出させて取り付けられ、洗浄液供給部として洗浄ポート部Ｐを構成しており、透析装置１の本体外部において、原液通路１３Ａ，１３Ｂのコネクタ２２Ａ，２２Ｂと接続できるようになっている。
また上記分岐通路１４には、洗浄液通路１５を介して洗浄液の貯溜された洗浄液容器２５が接続されており、洗浄液通路１５には液回路２の洗浄時に開放される第４電磁弁２６が設けられている。
そして透析装置１の洗浄動作時には、図１または図２（ｂ）で示すように各原液通路１３Ａ，１３Ｂのコネクタ２２Ａ，２２Ｂを、それぞれ分岐通路１４のカプラ２３Ａ，２３Ｂに接続して、原液通路１３Ａ，１３Ｂを分岐通路１４と連通させ、各原液通路１３Ａ，１３Ｂに分岐通路１４を介して浄水を供給し、または上記第４電磁弁２６を開放して洗浄液容器２５の洗浄液を供給できるようになっている。
【００１５】
上記給液通路１６は、各計量チャンバ１１の給液室に接続されるとともに、１本に合流されて上記透析器３と接続されるようになっており、各計量チャンバ１１毎にそれぞれ第５、第６電磁弁２７、２８が設けられ、これらを交互に開閉させることで、透析器３に透析液が供給されるようになっている。
この給液通路１６は液回路２における各原液通路１３Ａ、１３Ｂとの合流位置よりも下流側に位置し、該給液通路１６に透析液の流通を検出する透析液検出器としての導電度測定器２９が設けられている。
該導電度測定器２９は給液通路１６を流通する液体の導電度を検出して検出信号を制御装置４に出力し、制御装置４では該信号に基づいて液体の導電度を測定し、求められた値が透析液の導電度に該当するか否かにより、透析液の流通を検出するようになっている。
【００１６】
上記排液側回路２Ｂは、透析器３から排出される処理済透析液を各計量チャンバ１１の排液室に回収する回収通路３１と、各計量チャンバ１１の排液室の処理済透析液を透析装置１の外部へと排出するための排出通路３２と、上記回収通路３１と排出通路３２とを連通させる除水通路３３とを備え、該除水通路３３には除水ポンプ３３Ａが設けられ、透析時に該除水ポンプ３３Ａを作動させて、除水を行うようになっている。
回収通路３１は、上記透析器３と接続するとともに途中で分岐させて、各計量チャンバ１１の排液室と接続させてあり、分岐させた部分にはそれぞれ第７、第８電磁弁３７、３８が設けられ、これらを交互に開閉させることで、各計量チャンバ１１に処理済透析液を回収させるようになっている。
回収通路３１には、さらに送液ポンプ３６が設けられるとともに、その下流側に脱気槽３４が設けられ、該脱気槽３４から排出通路３２に排気通路３５が接続され、該排気通路３５には第１１電磁弁４１が設けられている。
また、送液ポンプ３６の上流側と給水通路１２の給水電磁弁１２ｂの下流側とを、洗浄連通路４２で接続してあり、液回路２の洗浄時に給水電磁弁１２ｂを閉鎖し該洗浄通路４２に設けた連通電磁弁４２ａを開放することで、回収通路３１から給水通路１２へ洗浄液を送液できるようになっている。
排出通路３２は、各計量チャンバ１１の排液室に接続されるとともに１本に合流されて、透析装置１の本体外部に開口されており、各計量チャンバ１１毎にそれぞれ第９、第１０電磁弁３９、４０が設けられ、これらを交互に開閉させることで、処理済透析液を各計量チャンバ１１から排出させるようになっている。
【００１７】
上記脱気槽３４はその内部にフロート弁３４ａを備え、脱気槽３４内に流入する液から気体が放出されるとフロート弁３４ａが液面と共に下降し、脱気槽３４内と排気通路３５が連通するようになっている。
脱気槽３４はさらにフロート弁３４ａが所定量下降したことを検出する下降検出センサ３４ｂを備えており、脱気槽３４内に所定量の気体が放出されてフロート弁３４ａが下降し、これを下降検知センサ３４ａが検出すると、その検出信号が制御装置４に出力される。
制御装置４は該信号が入力されることで、液回路２中に所定量の気体が混入したことを検出し、警報を発するとともに上記第１１電磁弁４１を開放して、脱気槽３４から気体を排出するようになっている。
該脱器槽３４は、液回路２における原液通路１３Ａ，１３Ｂの合流位置よりも下流側にあって、液回路２中の気体を検出する気体検出器として構成されている。
【００１８】
制御装置４には、透析装置１の洗浄動作時に、各原液通路１３Ａ、１３Ｂのコネクタ２２Ａ、２２Ｂと洗浄液供給部を構成する洗浄ポート部Ｐのカプラ２３Ａ、２３Ｂとの接続状態を判定する判定手段４ａが設けられている。
該判定手段４ａは制御装置４が洗浄動作を実行させる洗浄モード時に有効化され、洗浄動作中に導電度測定器２９および脱気槽３４の下降検出センサ３４ｂから検出信号を入力し、繋ぎ替えられた各原液通路１３Ａ、１３Ｂの接続状態の良否を判定し、不良であれば警報信号を出力するようになっている。
【００１９】
次に、本実施例に係る透析装置１の洗浄方法を説明する。
透析治療が終了すると、医療従事者は血液回路５を患者から取り外した後、透析器３を液回路２から分離し、給液通路１６の末端と回収通路３１の先端とをコネクタ５によって連結する。
また、図２（ｂ）に示すように、各原液通路１３Ａ，１３Ｂのコネクタ２２Ａ，２２Ｂを透析原液容器２０Ａ，２０Ｂから取り外して、これらを洗浄ポート部Ｐとして設けられている分岐通路１４のカプラ２３Ａ，２３Ｂへと繋ぎ替え、原液通路１３Ａ，１３Ｂと分岐通路１４とを接続する。
これらの作業を行った後、医療従事者が操作パネル１ａを操作して液回路２の洗浄を指示すると、制御装置４は洗浄モードに移行して洗浄動作を開始する。洗浄動作において、制御装置４は最初に液回路２内に残留する透析液を排出して浄水に置換する前洗浄工程を行う。
具体的には、分岐通路１４に設けた第３電磁弁２４を開放させた状態で、通常の透析動作時と同様に、給水電磁弁１２ｂを開放して給水口１２ａから浄水を流入させるとともに、給水ポンプ１７、送液ポンプ３６、除水ポンプ３３Ａを作動させ、さらに各電磁弁１８、１９、２７、２８、３７、３８、３９、４０の開閉を操作して、給水通路１２、各計量チャンバ１１の給液室、給液通路１６、回収通路３１、各計量チャンバ１１の排液室、排液通路３２、除水通路３３に浄水を送り、液回路２に残留している透析液を排出させて浄水に置換する。
また、各原液通路１３Ａ，１３Ｂは、コネクタ２２Ａ，２２Ｂ、カプラ２３Ａ，２３Ｂを介して分岐通路１４と接続されており、各原液ポンプ２１Ａ，２１Ｂが作動することで、開放された第３電磁弁２４を介して給水通路１２から浄水が分岐通路１４に流入し、各原液通路１３Ａ，１３Ｂに供給される。
その結果、各原液通路１３Ａ，１３Ｂについても、残留する透析原液が排出されて浄水に置換される。
なお、この前洗浄工程においては、上記第４電磁弁２６を開放せず、洗浄液の供給は行っていない。
【００２０】
このような前洗浄工程において、制御装置４は判定手段４ａを有効化しており、導電度測定器２９および脱気槽３４の下降検知センサ３４ｂからの検出信号を判定手段４ａに入力させている。
判定手段４ａは前洗浄工程が開始されて給液通路１６が浄水に置換されるタイミングで、導電度測定器２９からの検出信号に基づいて導電度を測定し、測定結果が透析液を示す所定の導電度に達している場合には、透析液が流通しているものとして検出する。判定手段４ａは透析液の流通を検出すると、少なくとも原液通路１３Ａもしくは原液通路１３Ｂのいずれかが透析原液容器２０Ａ，２０Ｂに接続されたままであるものと判断し、警報信号を出力する。
なお、透析原液容器２０Ａ，２０Ｂに貯溜されているＡ原液またはＢ原液のいずれか一方だけが供給された場合には、液回路２で測定される導電度はＡ原液、Ｂ原液を混合した場合に比べて低くなることから、上記判定手段４ａには透析時に設定される透析液の導電度よりも低い値を設定してあり、設定した値以上の導電度が測定されると、透析動作時と同様に、透析液が流通しているものとして検出するようにしている。
【００２１】
一方判定手段４ａは、前洗浄工程の開始時より下降検知センサ３４ｂからの検出信号を監視しており、検出信号が入力されると液回路２中に所定量の気体が混入されているものと判断する。すなわち、原液通路１３Ａ，１３Ｂのいずれか一方でも、そのコネクタ２２Ａ，２２Ｂが分岐通路１４のカプラ２３Ａ，２３Ｂに確実に接続されていない場合には、原液ポンプ２１の吸引作用により原液通路１３Ａ，１３Ｂには外気が流入して液回路２を流通する浄水に混入される。
そこで、これを検出することで、原液通路１３Ａまたは原液通路１３Ｂのカプラ２３Ａ，２３Ｂが洗浄液供給部を構成する洗浄ポート部Ｐに完全に接続されていないものと判定し、警報信号を出力するようになっている。
制御装置４は、これらいずれの警報信号が出力された場合にも、接続状態が不良である旨の警報を表示し前洗浄工程を中止させる。医療従事者はこれら警報に従い原液通路１３Ａもしくは原液通路１３Ｂの接続状態を改善した後、前洗浄工程を再開させる。
【００２２】
前洗浄工程中に原液通路１３Ａ，１３Ｂと洗浄ポート部Ｐの接続状態を確認し、接続不良が検出されて医療従事者により改善されて再開した後、または接続不良が検出されずに前洗浄工程が完了すると、制御装置４は速やかに第３電磁弁２４を閉鎖して本洗浄工程に移行する。
本洗浄工程では、制御装置４は洗浄液通路１５の第４電磁弁２６を開放し、原液ポンプ２１Ａ，２１Ｂの吸引作用によって、分岐通路１４から各原液通路１３Ａ，１３Ｂに洗浄液容器２５の洗浄液が供給される。供給された洗浄液は給水通路１２を流通する浄水に供給されて希釈され、所定量の洗浄液が洗浄液容器２５から供給されると、給水電磁弁１２ｂを閉鎖して連通電磁弁４２ａを開放し、洗浄液を給水通路１２の上流側へ循環させ、液回路２に洗浄液を所定時間流通させた後、本洗浄工程を終了させる。
以上のように、本発明の液回路２の洗浄方法では、液回路２に洗浄液を流通させる本洗浄工程の前に、液回路２に浄水を流通させて液回路２中に残留する透析液を排出させて浄水に置換する前洗浄工程を備えており、該前洗浄工程中に原液回路１３Ａ、１３Ｂと洗浄液供給部を構成する洗浄ポート部Ｐのカプラ２３Ａ、２３Ｂとの接続状態を確認するようにしている。
このため、洗浄液を供給する本洗浄工程中に接続不良が発見された場合のように、予定された量の洗浄液が供給されずに工程が進行しているため、洗浄が不十分である危険性から工程の最初に戻って本洗浄工程をやり直す必要がなく、接続状態を改善すれば即座に、警報により中断された状態から引き続き前洗浄工程を再開させることができる。その結果、洗浄に要する時間及び洗浄液を無駄にすることがなく、また、確実に接続不良を検出して、繋ぎ替えミスによる洗浄不良の発生を防止することができる。
【図面の簡単な説明】
【００２３】
【図１】本実施例に係る透析装置の液回路図。
【図２】透析装置の斜視図を示し（ａ）は透析動作時の状態を、（ｂ）は洗浄動作時の状態を示す。
【符号の説明】
【００２４】
１  透析装置                      ２  液回路
１１  計量チャンバ                １２  浄水通路
１３Ａ，１３Ｂ  原液通路          １４  分岐通路
１５  洗浄液通路                  ２０Ａ，２０Ｂ  透析原液容器
２２Ａ，２２Ｂ  コネクタ          ２３Ａ，２３Ｂ  カプラ
２９  導電度測定器                ３４  脱気槽
３４ｂ  下降検知センサ
【図１】
2008006220.tif 000003
【図２】
2008006220.tif 000004